(57)【要約】【課題】ロールとロール間に所定のテンションで張られたウエブ状の基材に塗布するウエブテンションダイコート装置で、特に上流側を減圧にして、エアーによる欠陥を防止する減圧式ウエブテンションダイコート装置の提供にある。【解決手段】上流側ガイドロール２ｂと下流側ガイドロール２ａとの間に所定のテンションで張られて走行するウエブ状の被塗布物７上に、スロットダイヘッド１のスリット１ａ先端から吐出される塗液を塗布するウエブテンションダイコート装置において、前記上流側ガイドロール２ｂとスリット１ａ先端との間の被塗布物７上で、該被塗布物７の走行方向に逆らう方向へエアーを噴出するノズル３ａが配設されていて、このの上流部に除電バーユニット６が配設されている減圧式ウエブテンションダイコート装置である。【選択図】図１
2006075752.tif 000002
【特許請求の範囲】
【請求項１】
上流側ガイドロールと下流側ガイドロールとの間に所定のテンションで張られて走行するウエブ状の基材上に、スロットダイヘッドのスリット先端から吐出される塗液を塗布するウエブテンションダイコート装置において、前記上流側ガイドロールとスロットダイヘッドのスリット先端との間の基材で、該基材の走行方向に逆らう方向へエアーを噴出するノズルが配設されていることを特徴とする減圧式ウエブテンションダイコート装置。
【請求項２】
前記エアーを噴出するノズルは、エアーの流速調整手段を有していることを特徴とする請求項１記載の減圧式ウエブテンションダイコート装置。
【請求項３】
前記エアーを噴出するノズルの上流部に除電バーが配設されていることを特徴とする請求項１乃至２のいずれか１項記載の減圧式ウエブテンションダイコート装置。
【発明の詳細な説明】
【技術分野】
【０００１】
本発明は、ロールとロール間に所定のテンションで張られたウエブ状の基材に塗布するウエブテンションダイコート装置に関するものであり、特に、上流側を減圧にして、塗布により抱き込むエアーを防止する減圧式ウエブテンションダイコート装置に関するものである。
【背景技術】
【０００２】
従来、スロットダイヘッドによるウエブ状の被塗工物へ塗液をコーティングする方式として、ロールとロールの間に設定されたテンションにて張られたウエブ状の被塗工物へ塗布するウェッブテンション方式がある。この方式の場合、中空にウエブ状の被塗工物がある為、塗布で抱き込まれたエアーによる欠陥、即ちスジむら等の発生を防止するヘッド上流部への減圧化装置の設置は不可能に近いという問題点があった。
【発明の開示】
【発明が解決しようとする課題】
【０００３】
本発明は、かかる従来技術の問題点を解決するものであり、その課題とするところは、上流側ロールと下流側ロール間に所定のテンションで張られたウエブ状の基材に塗布するウエブテンションダイコート装置で、特に上流側を減圧にして、塗布により抱き込むエアーによる欠陥を防止し、高速で塗布する事のできる減圧式ウエブテンションダイコート装置を提供することにある。
【課題を解決するための手段】
【０００４】
本発明に於いて上記課題を達成するために、まず請求項１の発明では、上流側ガイドロールと下流側ガイドロールとの間に所定のテンションで張られて走行するウエブ状の基材上に、スロットダイヘッドのスリット先端から吐出される塗液を塗布するウエブテンションダイコート装置において、前記上流側ガイドロールとスロットダイヘッドのスリット先端との間の基材で、該基材の走行方向に逆らう方向へエアーを噴出するノズルが配設されていることを特徴とする減圧式ウエブテンションダイコート装置としたものである。
【０００５】
また、請求項２の発明では、前記エアーを噴出するノズルは、エアーの流速調整手段を有していることを特徴とする請求項１記載の減圧式ウエブテンションダイコート装置。
【０００６】
さらにまた、請求項３の発明では、前記エアーを噴出するノズルの上流部に除電バーが配設されていることを特徴とする請求項１乃至２のいずれか１項記載の減圧式ウエブテンションダイコート装置としたものである。
【発明の効果】
【０００７】
本発明は以上の構成であるから、下記に示す如き効果がある。
【０００８】
即ち、上記請求項１に係る発明によれば、上流側ガイドロールと下流側ガイドロールとの間に所定のテンションで張られて走行するウエブ状の基材上に、スロットダイヘッドのスリット先端から吐出される塗液を塗布するウエブテンションダイコート装置において、前記上流側ガイドロールとスロットダイヘッドのスリット先端との間の基材で、該基材の走行方向に逆らう方向へエアーを噴出するノズルを配設することによって、エアーの流速によりヘッドから塗布される部分のエアーを吸出し、減圧させる事により、このエアーによる欠陥を防止し、高速で塗布する事のできる減圧式ウエブテンションダイコート装置を提供できる。
【０００９】
また、走行する基材の走行方向に逆らう方向へエアーを噴出するノズルを配設し、このノズルにより基材へエアーを吹き付けることにより基材上に残る異物をも除去する減圧式ウエブテンションダイコート装置とすることができる。
【００１０】
また、上記請求項２に係る発明によれば、前記エアーを噴出するノズルにエアーの流速調整手段を持たせることによって、減圧させる程度を調整できる減圧式ウェッブテンションダイコート装置を提供できる。
【００１１】
さらにまた、上記請求項３に係る発明によれば、前記エアーを噴出するノズルの上流部に除電バーを配設することによって、上流部の基材の静電気を除去し、エアーの噴出させるノズルにより基材上に残る異物を除去する能力を向上させる減圧式ウエブテンションダイコート装置とすることができる。
【発明を実施するための最良の形態】
【００１２】
以下本発明を実施するための最良の形態を図面を用いて詳細に説明する。
【００１３】
本発明は、例えば図１の側断面図に示すように、上流側ガイドロール２ａと下流側ガイドロール２ｂ間で、所定のテンションで張られているウエブ状の被塗布物７上に、スロットダイヘッド１のスリット１ａ先端から塗液を吐出して塗布するウエブテンションダイコート装置に関するもので、さらに詳しくは、このスロットダイヘッド１と上流側ガイドロール２ａの間にエアー噴出装置３をスロットダイヘッド１の上流側に接するように設け、このエアー噴出装置３と走行するウエブ状の被塗布物７との間に減圧エリア５を設けた減圧式ウエブテンションダイコート装置に関するものである。
【００１４】
そこで、上記請求項１に係る発明では、例えば図１に示すように、被塗布物７の走行方向に逆らう方向へエアーを噴出するノズル３ａを有するエアー噴出装置３が配設されていることを特徴とする減圧式ウエブテンションダイコート装置である。
【００１５】
このように、走行するウエブ状の被塗布物７に逆らう方向へエアーを噴出するノズル３ａを設けることによって、エアーの流速によるヘッド１のスリット１ａから吐出される部分即ち減圧エリア５のエアーを吸出して減圧を向上させ、このエアーによる塗布欠陥を防止し、さらに、このノズル３ａによりウエブ状の被塗布物７へ吹き付けるエアーによってこの被塗布物７上に残る異物をも除去する減圧式ウエブテンションダイコート装置とするものである。
【００１６】
また、図１に示すように、前記減圧エリア５への外気エアーの流れ込みを防ぐためのサイドガイド４をエアー噴出装置３の両側面に設け、減圧エリア５での減圧効果を向上させることもできる。
【００１７】
また、上記請求項２に係る発明では、例えば図１に示すように、前記エアー噴出装置３のノズル３ａにエアーの流速調整手段を持たせることによって、エアーの流速による塗布部分のエアーの吸出を調整し、減圧させさせる程度を調整できる減圧式ウェッブテンションダイコート装置とするものである。
【００１８】
さらにまた、上記請求項３に係る発明では、例えば図１に示すように、エアー噴出装置３の上流部に除電バーユニット６を配設した減圧式ウエブテンションダイコート装置であり、このように除電バーユニット６を配設することによって、上流部の被塗布物７の静電気を除去し、エアー噴出装置３のノズル３ａより噴出されるエアーで被塗布物７上に残る異物を除去する能力を向上させることができる。
【図面の簡単な説明】
【００１９】
【図１】本発明の減圧式ウエブテンションダイコート装置の一実施の形態を側断面で表した説明図である。
【符号の説明】
【００２０】
１‥‥スロットダイヘッド
２ａ‥‥下流側ガイドロール
２ｂ‥‥上流側ガイドロール
３‥‥エアー噴出装置
３ａ‥‥エアー噴出装置のノズル
４‥‥サイドガイド
５‥‥減圧エリア
６‥‥除電バーユニット
７‥‥被塗布物
【図１】
2006075752.tif 000003